(57)【要約】【課題】Ｉｎｔｅｒ-ＲＡＴモビリティ制御において、遷移元の移動通信システムにおいて移動局との間で確立されていたＲＲＣコネクション用リソースを効率的に解放する。【解決手段】本発明に係る移動通信方法は、無線回線制御局ＲＮＣとの間でＲＲＣコネクションを確立している状態の移動局ＵＥがＷＣＤＭＡ方式の移動通信システムにおいて圏外となった後、ＬＴＥ方式の移動通信システムに対する位置登録処理を行う工程と、交換局ＳＧＳＮが、所定信号を受信した場合に、無線回線制御局ＲＮＣに対して、移動局ＵＥのＬＴＥ方式の移動通信システムに対する位置登録処理が行われたことを通知する工程と、無線回線制御局ＲＮＣが、交換局ＳＧＳＮからの通知に応じて、移動局ＵＥに対して、ＲＲＣコネクション用のリソースを解放するための信号を送信することなく、かかるリソースを解放する工程とを有する。【選択図】図５
2011044916.tif 000002
【特許請求の範囲】
【請求項１】
第１通信方式の無線アクセスネットワーク装置との間で無線コネクションを確立している状態の移動局が、第１通信方式の移動通信システムにおいて圏外となった後、第２通信方式の移動通信システムに対する位置登録処理、或いは、該位置登録処理を行うことなく第２通信方式の無線アクセスネットワーク装置との間での無線コネクションの確立処理を行う工程と、
第１通信方式の交換局が、所定信号を受信した場合に、前記第１通信方式の無線アクセスネットワーク装置に対して、前記移動局の前記第２通信方式の移動通信システムに対する位置登録処理、或いは、前記第２通信方式の無線アクセスネットワーク装置との間での無線コネクションの確立処理が行われたことを通知する工程と、
前記第１通信方式の無線アクセスネットワーク装置が、前記第１通信方式の交換局からの前記通知に応じて、前記移動局に対して、前記無線コネクション用のリソースを解放するための信号を送信することなく、該リソースを解放する工程とを有することを特徴とする移動通信方法。
【請求項２】
第１通信方式の無線アクセスネットワーク装置であって、
移動局が前記第１通信方式の無線アクセスネットワーク装置との間で無線コネクションを確立している状態にあると認識している場合に、第１通信方式の交換局から、該移動局の第２通信方式の移動通信システムに対する位置登録処理、或いは、該位置登録処理を行うことなく第２通信方式の無線アクセスネットワーク装置との間での無線コネクションの確立処理が行われたことを示す通知を受信した場合、該移動局に対して、該無線コネクション用のリソースを解放するための信号を送信することなく、該リソースを解放するように構成されているリソース管理部を具備することを特徴とする無線アクセスネットワーク装置。  
【発明の詳細な説明】
【技術分野】
【０００１】
本発明は、移動通信方法及び無線アクセスネットワーク装置に関する。
【背景技術】
【０００２】
ＷＣＤＭＡ（Ｗｉｄｅｂａｎｄ-ＣＤＭＡ）方式の移動通信システム及びＬＴＥ（Ｌｏｎｇ  Ｔｅｒｍ  Ｅｖｏｌｕｔｉｏｎ）方式の移動通信システムが混在する移動通信システムでは、ＷＣＤＭＡ方式の移動通信システムとＬＴＥ方式の移動通信システムとの間で、各移動局ＵＥに対するＩｎｔｅｒ-ＲＡＴ（Ｒａｄｉｏ  Ａｃｃｅｓｓ  Ｔｅｃｈｎｏｌｏｇｙ）モビリティ制御を行うことができるように構成されている。
【先行技術文献】
【特許文献】
【０００３】
【特許文献１】特開２００９-１７３４２号公報
【発明の概要】
【発明が解決しようとする課題】
【０００４】
しかしながら、移動局ＵＥが、ＷＣＤＭＡ方式の移動通信システムとの間でＲＲＣコネクションを確立している状態（例えば、Ｃｅｌｌ  ＰＣＨ状態）から、ＷＣＤＭＡ方式の移動通信システムによって把握されることなく、ＬＴＥ方式の移動通信システムとの間でＲＲＣコネクションを確立している状態（例えば、Ｃｏｎｎｅｃｔｅｄ状態）に遷移する場合、当該ＲＲＣコネクション用のリソースを即座に解放することができないという問題点があった。
【０００５】
また、移動局ＵＥが、ＮＡＳ（Ｎｏｎ  Ａｃｃｅｓｓ  Ｓｔｒａｔｕｍ）リカバリー等のＩｎｔｅｒ-ＲＡＴモビリティ制御において、ＷＣＤＭＡ方式の移動通信システムに対する解放通知を行わない場合、ＷＣＤＭＡ方式の移動通信システムにおいて、再接続等により移動局ＵＥが再びＷＣＤＭＡ方式の移動通信システムでの通信を復帰する状態にあるのか否かについて判別できないことから、当該ＲＲＣコネクション用のリソースを即座に解放することができないという問題点があった。
【０００６】
そこで、本発明は、上述の課題に鑑みてなされたものであり、移動局に対するＩｎｔｅｒ-ＲＡＴモビリティ制御において、遷移元の移動通信システムにおいて当該移動局との間で確立されていたＲＲＣコネクション用リソースを効率的に解放することができる移動通信方法及び無線アクセスネットワーク装置を提供することを目的とする。
【課題を解決するための手段】
【０００７】
本発明の第１の特徴は、移動通信方法であって、第１通信方式の無線アクセスネットワーク装置との間で無線コネクションを確立している状態の移動局が、第１通信方式の移動通信システムにおいて圏外となった場合、第２通信方式の移動通信システムに対する位置登録処理、或いは、該位置登録処理を行うことなく第２通信方式の無線アクセスネットワーク装置との間での無線コネクションの確立処理を行う工程と、第１通信方式の交換局が、所定信号を受信した場合に、前記第１通信方式の無線アクセスネットワーク装置に対して、前記移動局の前記第２通信方式の移動通信システムに対する位置登録処理、或いは、前記第２通信方式の無線アクセスネットワーク装置との間での無線コネクションの確立処理が行われたことを通知する工程と、前記第１通信方式の無線アクセスネットワーク装置が、前記第１通信方式の交換局からの前記通知に応じて、前記移動局に対して、前記無線コネクション用のリソースを解放するための信号を送信することなく、該リソースを解放する工程とを有することを要旨とする。
【０００８】
本発明の第２の特徴は、第１通信方式の無線アクセスネットワーク装置であって、移動局が前記第１通信方式の無線アクセスネットワーク装置との間で無線コネクションを確立している状態にあると認識している場合に、第１通信方式の交換局から、該移動局の第２通信方式の移動通信システムに対する位置登録処理、或いは、該位置登録処理を行うことなく第２通信方式の無線アクセスネットワーク装置との間での無線コネクションの確立処理が行われたことを示す通知を受信した場合、該移動局に対して、該無線コネクション用のリソースを解放するための信号を送信することなく、該リソースを解放するように構成されているリソース管理部を具備することを要旨とする。
【発明の効果】
【０００９】
以上説明したように、本発明によれば、移動局に対するＩｎｔｅｒ-ＲＡＴモビリティ制御において、遷移元の移動通信システムにおいて当該移動局との間で確立されていたＲＲＣコネクション用リソースを効率的に解放することができる移動通信方法及び無線アクセスネットワーク装置を提供することができる。
【図面の簡単な説明】
【００１０】
【図１】本発明の第１の実施形態に係る移動通信システムの全体構成図である。
【図２】本発明の第１の実施形態に係る無線回線制御局の機能ブロック図である。
【図３】本発明の第１の実施形態に係る交換局の機能ブロック図である。
【図４】本発明の第１の実施形態に係る移動管理サーバの機能ブロック図である。
【図５】本発明の第１の実施形態に係る移動通信システムの動作を示すシーケンス図である。
【発明を実施するための形態】
【００１１】
（本発明の第１の実施形態に係る移動通信システムの構成）
図１乃至図４を参照して、本発明の第１の実施形態に係る移動通信システムの構成について説明する。
【００１２】
本実施形態に係る移動通信システムは、第１通信方式の移動通信システム（無線アクセスネットワーク）として、ＷＣＤＭＡ方式の移動通信システム（無線アクセスネットワーク）を具備し、第２通信方式の移動通信システム（無線アクセスネットワーク）として、ＬＴＥ方式の移動通信システム（無線アクセスネットワーク）を具備している。
【００１３】
具体的には、図１に示すように、本実施形態に係る移動通信システムは、ＷＣＤＭＡ方式の交換局ＳＧＳＮと、ＷＣＤＭＡ方式の無線アクセスネットワーク装置である無線回線制御局ＲＮＣと、ＬＴＥ方式の交換局ＭＭＥと、ＬＴＥ方式の無線アクセスネットワーク装置である無線基地局ｅＮＢと、ＷＣＤＭＡ方式の交換局ＳＧＳＮ及びＬＴＥ方式の交換局ＭＭＥに接続されている移動管理サーバＨＬＲ（Ｈｏｍｅ  Ｌｏｃａｔｉｏｎ  Ｒｅｇｉｓｔｅｒ）とを具備している。
【００１４】
本実施形態に係る移動通信システムでは、移動局ＵＥに対するＩｎｔｅｒ-ＲＡＴ制御を行うことができるように構成されている。
【００１５】
すなわち、本実施形態に係る移動通信システムでは、移動局ＵＥは、ＷＣＤＭＡ方式の移動通信システムとの間でＲＲＣコネクションを確立している状態（例えば、Ｃｅｌｌ  ＰＣＨ状態）と、ＬＴＥ方式の移動通信システムとの間でＲＲＣコネクションを確立している状態（例えば、Ｃｏｎｎｅｃｔｅｄ状態）との間を遷移することができるように構成されている。
【００１６】
図２に示すように、無線回線制御局ＲＮＣは、受信部１１と、リソース管理部１２と、送信部１３とを具備している。
【００１７】
受信部１１は、移動局ＵＥや交換局ＳＧＳＮ等によって送信された各種信号を受信するように構成されている。
【００１８】
リソース管理部１２は、無線回線制御局ＲＮＣと移動局ＵＥとの間で確立されるＲＲＣコネクション用のリソースを管理するように構成されている。
【００１９】
具体的には、リソース管理部１２は、無線回線制御局ＲＮＣと移動局ＵＥとの間でＲＲＣコネクションが確立される際に、かかるＲＲＣコネクション用のリソースを割り当て、かかるＲＲＣコネクションが解放される際に、かかるＲＲＣコネクション用のリソースを解放するように構成されている。
【００２０】
ここで、リソース管理部１２は、移動局ＵＥが無線回線制御局ＲＮＣとの間でＲＲＣコネクションを確立している状態にあると認識している場合に、交換局ＳＧＳＮから、移動局ＵＥのＬＴＥ方式の移動通信システムに対する位置登録処理が行われたことを示す通知を受信した場合、移動局ＵＥに対して、ＲＲＣコネクション用のリソースを解放するための信号を送信することなく、かかるリソースを解放するように構成されている。
【００２１】
なお、本実施形態に係る移動通信システムにおいて、Ｉｎｔｅｒ-ＲＡＴモビリティ制御において、ＩＳＲ（Ｉｄｌｅ  Ｍｏｄｅ  Ｓｉｇｎａｌｉｎｇ  Ｒｅｄｕｃｔｉｏｎ）が適用されている場合、移動局ＵＥの位置登録処理を省略することができる。
【００２２】
したがって、リソース管理部１２は、移動局ＵＥが無線回線制御局ＲＮＣとの間でＲＲＣコネクションを確立している状態にあると認識している場合に、交換局ＳＧＳＮから、移動局ＵＥがＬＴＥ方式の移動通信システムに対する位置登録処理を行うことなく無線基地局ｅＮＢとの間でのＲＲＣコネクションの確立処理を行ったことを示すＬＴＥ方式の移動通信システムに対する在圏通知を受信した場合、移動局ＵＥに対して、ＲＲＣコネクション用のリソースを解放するための信号を送信することなく、かかるリソースを解放するように構成されている。
【００２３】
送信部１３は、移動局ＵＥや交換局ＳＧＳＮ等に対して各種信号を送信するように構成されている。
【００２４】
図３に示すように、交換局ＳＧＳＮは、受信部２１と、送信部２２とを具備している。
【００２５】
受信部２１は、移動局ＵＥや無線回線制御局ＲＮＣや移動管理サーバＨＬＲ等によって送信された各種信号を受信するように構成されている。
【００２６】
送信部２２は、移動局ＵＥや無線回線制御局ＲＮＣや移動管理サーバＨＬＲ等に対して各種信号を送信するように構成されている。
【００２７】
図４に示すように、移動管理サーバＨＬＲは、管理部３１と、位置登録処理部３２と、指示部３３とを具備している。
【００２８】
管理部３１は、ＷＣＤＭＡ方式の移動通信システム配下のセルやＬＴＥ方式の移動通信システム配下のセルに対して位置登録されている移動局ＵＥに係る情報を管理するように構成されている。
【００２９】
位置登録処理部３２は、移動局ＵＥとの間で、当該移動局ＵＥについての位置登録処理に係る信号の送受信を行うように構成されている。
【００３０】
指示部３３は、無線回線制御局ＲＮＣとの間でＲＲＣコネクションを確立している状態の移動局ＵＥが、ＷＣＤＭＡ方式の移動通信システムにおいて圏外となり、ＬＴＥ方式の移動通信システムに対して位置登録処理を行ったことを検知した場合に、交換局ＳＧＳＮに対して、「Ｃａｎｃｅｌ  Ｌｏｃａｔｉｏｎ」を送信することによって、上述のＲＲＣコネクション用のリソースを解放するように指示するように構成されている。
【００３１】
（本発明の第１の実施形態に係る移動通信システムの動作）
図４を参照して、本発明の第１の実施形態に係る移動通信システムの動作について説明する。
【００３２】
図４に示すように、ステップＳ１００１において、無線回線制御局ＲＮＣとの間でＲＲＣコネクションを確立している状態の移動局ＵＥが、ＷＣＤＭＡ方式の移動通信システムにおいて圏外となったことを検知する。
【００３３】
ステップＳ１００２Ａにおいて、移動局ＵＥは、ＬＴＥ方式の移動通信システムに遷移することを決定する。ここで、移動局ＵＥは、無線回線制御局ＲＮＣに対して、上述のＲＲＣコネクション用のリソースの解放を要求する信号を送信しない。
【００３４】
一方、無線回線制御局ＲＮＣは、ステップＳ１００２Ｂにおいて、上述のＲＲＣコネクション用のリソースを解放することなく、移動局ＵＥからの再接続要求信号を待ち続ける。
【００３５】
ステップＳ１００３において、移動局ＵＥは、交換局ＭＭＥに対して、「Ａｔｔａｃｈ  Ｒｅｑｕｅｓｔ」や「Ｔｒａｃｋｉｎｇ  Ａｒｅａ  Ｕｐｄａｔｅ」等の位置登録要求信号を送信する。
【００３６】
ステップＳ１００４において、交換局ＭＭＥは、移動局ＵＥから受信した位置登録要求信号に応じて、移動管理サーバＨＬＲに対して、「Ｕｐｄａｔｅ  Ｌｏｃａｔｉｏｎ  Ｒｅｑｕｅｓｔ」を送信する。
【００３７】
ステップＳ１００５において、移動管理サーバＨＬＲは、交換局ＭＭＥに対して、「Ｕｐｄａｔｅ  Ｌｏｃａｔｉｏｎ  Ａｎｓｗｅｒ」を送信する。
【００３８】
ステップＳ１００６において、交換局ＭＭＥは、移動局ＵＥに対して、上述の位置登録要求信号に対する位置登録応答信号を送信する。
【００３９】
ステップＳ１００７において、移動管理サーバＨＬＲは、交換局ＳＧＳＮに対して、「Ｃａｎｃｅｌ  Ｌｏｃａｔｉｏｎ」を送信する。
【００４０】
ステップＳ１００８において、交換局ＳＧＳＮは、「Ｃａｎｃｅｌ  Ｌｏｃａｔｉｏｎ」に応じて、無線回線制御局ＲＮＣに対して、「Ｎｅｗ  Ｉｎｆｏ」を含む「Ｉｕ  Ｒｅｌｅａｓｅ  Ｃｏｍｍａｎｄ」を送信する。
【００４１】
ここで、「Ｉｕ  Ｒｅｌｅａｓｅ  Ｃｏｍｍａｎｄ」は、移動局ＵＥと無線回線制御局ＲＮＣとの間で確立されているＲＲＣコネクションを解放するように指示するＲＡＮＡＰ信号であり、「Ｎｅｗ  Ｉｎｆｏ」は、移動局ＵＥのＬＴＥ方式の移動通信システムへの位置登録処理が行われたことを通知するための情報（例えば、所定情報や所定フラグ等）である。
【００４２】
ステップＳ１００９において、無線回線制御局ＲＮＣは、「Ｎｅｗ  Ｉｎｆｏ」を含む「Ｉｕ  Ｒｅｌｅａｓｅ  Ｃｏｍｍａｎｄ」に応じて、移動局ＵＥに対して、ＲＲＣコネクション用のリソースを解放するための信号である「ＲＲＣ  Ｃｏｎｎｅｃｔｉｏｎ  Ｒｅｌｅａｓｅ」を送信することなく、かかるリソースを解放する。
【００４３】
ここで、無線回線制御局ＲＮＣは、「Ｎｅｗ  Ｉｎｆｏ」を含む「Ｉｕ  Ｒｅｌｅａｓｅ  Ｃｏｍｍａｎｄ」を受信した場合、移動局ＵＥがＷＣＤＭＡ方式の移動通信システムからＬＴＥ方式の移動通信システムに遷移しているため、移動局ＵＥに対して「ＲＲＣ  Ｃｏｎｎｅｃｔｉｏｎ  Ｒｅｌｅａｓｅ」を送信したところで、移動局ＵＥによって「ＲＲＣ  Ｃｏｎｎｅｃｔｉｏｎ  Ｒｅｌｅａｓｅ」が受信されることがないため、移動局ＵＥに対して「ＲＲＣ  Ｃｏｎｎｅｃｔｉｏｎ  Ｒｅｌｅａｓｅ」を送信することなく、かかるＲＲＣリソース用のリソースを解放する。
【００４４】
（本発明の第１の実施形態に係る移動通信システムの作用・効果）
本発明の第１の実施形態に係る移動通信システムによれば、無線回線制御局ＲＮＣとの間でＲＲＣコネクションを確立している状態の移動局ＵＥが、ＷＣＤＭＡ方式の移動通信システムにおいて圏外となったことを検知した場合に、無線回線制御局ＲＮＣに対して、上述のＲＲＣコネクション用のリソースの解放を要求する信号を送信することなく、ＬＴＥ方式の移動通信システムに遷移してしまった場合であっても、無線回線制御局ＲＮＣは、交換局ＳＧＳＮから受信する「Ｎｅｗ  Ｉｎｆｏ」を含む「Ｉｕ  Ｒｅｌｅａｓｅ  Ｃｏｍｍａｎｄ」に応じて、効率的に、上述のＲＲＣコネクション用のリソースを解放することができる。
【００４５】
以上に述べた本実施形態の特徴は、以下のように表現されていてもよい。
【００４６】
本実施形態の第１の特徴は、移動通信方法であって、無線回線制御局ＲＮＣ（第１通信方式の無線アクセスネットワーク装置）との間でＲＲＣコネクション（無線コネクション）を確立している状態の移動局ＵＥがＷＣＤＭＡ方式（第１通信方式）の移動通信システムにおいて圏外となった後、ＬＴＥ方式（第２通信方式）の移動通信システムに対する位置登録処理、或いは、Ｉｎｔｅｒ-ＲＡＴモビリティ制御においてＩＳＲが適用されている場合、かかる位置登録処理を行うことなく無線基地局ｅＮＢとの間でのＲＲＣコネクションの確立処理を行う工程と、交換局ＳＧＳＮ（第１通信方式の交換局）が、「Ｃａｎｃｅｌ  Ｌｏｃａｔｉｏｎ（所定信号）」を受信した場合に、無線回線制御局ＲＮＣに対して、移動局ＵＥのＬＴＥ方式の移動通信システムに対する位置登録処理、或いは、無線基地局ｅＮＢとの間でのＲＲＣコネクションの確立処理が行われたことを通知する工程と、無線回線制御局ＲＮＣが、交換局ＳＧＳＮからの通知に応じて、移動局ＵＥに対して、ＲＲＣコネクション用のリソースを解放するための信号を送信することなく、かかるリソースを解放する工程とを有することを要旨とする。
【００４７】
本実施形態の第２の特徴は、無線回線制御局ＲＮＣであって、移動局ＵＥが無線回線制御局ＲＮＣとの間でＲＲＣコネクションを確立している状態にあると認識している場合に、交換局ＳＧＳＮから、移動局ＵＥのＬＴＥ方式の移動通信システムへの位置登録処理、或いは、かかる位置登録処理を行うことなく無線基地局ｅＮＢとの間でのＲＲＣコネクションの確立処理が行われたことを示す通知を受信した場合、移動局ＵＥに対して、ＲＲＣコネクション用のリソースを解放するための信号を送信することなく、かかるリソースを解放するように構成されているリソース管理部１２を具備することを要旨とする。
【００４８】
なお、上述の移動管理サーバＨＬＲや交換局ＳＧＳＮや無線回線制御局ＲＮＣや交換局ＭＭＥや無線基地局ｅＮＢや移動局ＵＥの動作は、ハードウェアによって実施されてもよいし、プロセッサによって実行されるソフトウェアモジュールによって実施されてもよいし、両者の組み合わせによって実施されてもよい。
【００４９】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００５０】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動管理サーバＨＬＲや交換局ＳＧＳＮや無線回線制御局ＲＮＣや交換局ＭＭＥや無線基地局ｅＮＢや移動局ＵＥ内に設けられていてもよい。また、かかる記憶媒体及びプロセッサは、ディスクリートコンポーネントとして移動管理サーバＨＬＲや交換局ＳＧＳＮや無線回線制御局ＲＮＣや交換局ＭＭＥや無線基地局ｅＮＢや移動局ＵＥ内に設けられていてもよい。
【００５１】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００５２】
ＲＮＣ…無線回線制御局
１１、２１…受信部
１２…リソース管理部
１３、２２…送信部
ＳＧＳＮ、ＭＭＥ…交換局
ＨＬＲ…移動管理サーバ
３１…管理部
３２…位置登録処理部
３３…指示部
ＵＥ…移動局
【図１】
2011044916.tif 000003
【図２】
2011044916.tif 000004
【図３】
2011044916.tif 000005
【図４】
2011044916.tif 000006
【図５】
2011044916.tif 000007